(57)【要約】【課題】特別の装備を用いない簡易な構成でありながら、情報通信網を介して提供される１つの評価対象情報に対する多数のユーザーの反応をリアルタイムで容易に把握することのできる反応情報表示システムを提供することを目的とする。【解決手段】評価対象情報発信手段１６は、評価対象情報を発信する。提供者側端末装置４の反応情報表示手段１３は、評価対象情報発信手段１６によって発信され情報通信網８を介してユーザー側端末装置６に受信されユーザー側表示装置３２に表示された評価対象情報に反応してユーザー側入力操作装置３１が操作された結果発信される当該ユーザー側端末装置６と対応付けられた反応情報を情報通信網８を介して受信するとともに受信した反応情報に対応した情報を提供者側表示装置１２に表示する。【選択図】  図２
2010186195.tif 000002
【特許請求の範囲】
【請求項１】
提供者側表示装置を備えた提供者側端末装置と、
ユーザー側入力操作装置とユーザー側表示装置とを備え情報通信網を介して提供者側端末装置と通信可能な、複数のユーザー側端末装置と、
を有するシステムであって、
提供者側端末装置は、評価対象情報を発信する評価対象情報発信手段を備え、
ユーザー側端末装置は、提供者側端末装置により発信された評価対象情報を情報通信網を介して受信してユーザー側表示装置に表示する評価対象情報表示手段と、表示された評価対象情報に反応してユーザー側入力操作装置が操作されると当該ユーザー側端末装置と対応付けられた反応情報を発信する反応情報発信手段と、を備え、
提供者側端末装置は、さらに、ユーザー側端末装置により発信された反応情報を情報通信網を介して受信するとともに受信した反応情報に対応した情報を提供者側表示装置に表示する反応情報表示手段を備えた、
反応情報表示システム。
【請求項２】
請求項１の反応情報表示システムにおいて、
前記反応情報表示手段は、各ユーザー側端末装置と対応付けられた複数のユーザーアイコン表示領域を整列配置したユーザーアイコン集合表示領域を、提供者側表示装置の一部に設定し、各ユーザー側端末装置からの反応情報に対応する情報を、対応するユーザーアイコン表示領域にアイコン表示するよう制御するユーザーアイコン表示手段を備えたこと、
を特徴とするもの。
【請求項３】
請求項１の反応情報表示システムにおいて、
当該反応情報表示システムは、さらに、当該システムを構成する前記各端末装置間で通信される情報の内容を通信時刻および情報種別と関連付けて記憶する通信情報データベースを有する通信情報記憶装置、を備え、
提供者側端末装置は、さらに、通信情報データベースに記憶されている前記各端末装置間で通信された情報の一部または全部を通信時刻および情報種別を指定して取得し、取得した情報に対応する情報を提供者側表示装置に再生表示する通信情報再生手段を備えたこと、
を特徴とするもの。
【請求項４】
提供者側表示装置を備えた提供者側端末装置と、
ユーザー側入力操作装置とユーザー側表示装置とを備え情報通信網を介して提供者側端末装置と通信可能な、複数のユーザー側端末装置と、
を有するシステムに用いる提供者側端末装置であって、
評価対象情報を発信する評価対象情報発信手段と、
評価対象情報発信手段によって発信され情報通信網を介してユーザー側端末装置に受信されユーザー側表示装置に表示された評価対象情報に反応してユーザー側入力操作装置が操作された結果発信される当該ユーザー側端末装置と対応付けられた反応情報を情報通信網を介して受信するとともに受信した反応情報に対応した情報を提供者側表示装置に表示する反応情報表示手段と、
を備えた、
提供者側端末装置。
【請求項５】
請求項４の提供者側端末装置において、
前記反応情報表示手段は、各ユーザー側端末装置と対応付けられた複数のユーザーアイコン表示領域を整列配置したユーザーアイコン集合表示領域を、提供者側表示装置の一部に設定し、各ユーザー側端末装置からの反応情報に対応する情報を、対応するユーザーアイコン表示領域にアイコン表示するよう制御するユーザーアイコン表示手段を備えたこと、
を特徴とするもの。
【請求項６】
請求項４の提供者側端末装置において、
前記システムは、さらに、当該システムを構成する前記各端末装置間で通信される情報の内容を通信時刻および情報種別と関連付けて記憶する通信情報データベースを有する通信情報記憶装置、を備え、
当該提供者側端末装置は、さらに、通信情報データベースに記憶されている前記各端末装置間で通信された情報の一部または全部を通信時刻および情報種別を指定して取得し、取得した情報に対応する情報を提供者側表示装置に再生表示する通信情報再生手段を備えたこと、
を特徴とするもの。
【請求項７】
提供者側表示装置を備えた提供者側端末装置と、
ユーザー側入力操作装置とユーザー側表示装置とを備え情報通信網を介して提供者側端末装置と通信可能な、複数のユーザー側端末装置と、
を有するシステムに用いるユーザー側端末装置であって、
提供者側端末装置により発信された評価対象情報を情報通信網を介して受信してユーザー側表示装置に表示する評価対象情報表示手段と、
表示された評価対象情報に反応してユーザー側入力操作装置が操作されると、当該ユーザー側端末装置と対応付けられた反応情報であって、情報通信網を介して提供者側端末装置に送信され当該反応情報に対応した情報が提供者側表示装置に表示される反応情報を発信する反応情報発信手段と、
を備えた、
ユーザー側端末装置。
【請求項８】
請求項７のユーザー側端末装置において、
当該ユーザー側端末装置は、情報通信網を介して他のユーザー側端末装置とも通信可能であり、
さらに、
他のユーザー側端末装置により発信された反応情報を情報通信網を介して受信する他ユーザー情報取得手段と、
各ユーザー側端末装置からの反応情報に対応した情報をユーザー側表示装置に表示する反応情報表示手段と、
を備えたこと、
を特徴とするもの。
【請求項９】
請求項８のユーザー側端末装置において、
前記反応情報表示手段は、各ユーザー側端末装置と対応付けられた複数のユーザーアイコン表示領域を整列配置したユーザーアイコン集合表示領域を、ユーザー側表示装置の一部に設定し、各ユーザー側端末装置からの反応情報に対応する情報を、対応するユーザーアイコン表示領域にアイコン表示するよう制御するユーザーアイコン表示手段を備えたこと、
を特徴とするもの。
【請求項１０】
請求項７のユーザー側端末装置において、
前記システムは、さらに、当該システムを構成する前記各端末装置間で通信される情報の内容を通信時刻および情報種別と関連付けて記憶する通信情報データベースを有する通信情報記憶装置、を備え、
当該ユーザー側端末装置は、情報通信網を介して通信情報記憶装置とも通信可能であり、
さらに、通信情報データベースに記憶されている前記各端末装置間で通信された情報の一部または全部を通信時刻および情報種別を指定して取得し、取得した情報に対応する情報をユーザー側表示装置に再生表示する通信情報再生手段を備えたこと、
を特徴とするもの。
【請求項１１】
提供者側表示装置を備えた提供者側端末装置と、
ユーザー側入力操作装置とユーザー側表示装置とを備え情報通信網を介して提供者側端末装置と通信可能な、複数のユーザー側端末装置と、
を有するシステムに用いる提供者側端末装置を、
評価対象情報を発信する評価対象情報発信手段と、
評価対象情報発信手段によって発信され情報通信網を介してユーザー側端末装置に受信されユーザー側表示装置に表示された評価対象情報に反応してユーザー側入力操作装置が操作された結果発信される当該ユーザー側端末装置と対応付けられた反応情報を情報通信網を介して受信するとともに受信した反応情報に対応した情報を提供者側表示装置に表示する反応情報表示手段と、
して機能させるためのコンピュータプログラム。
【請求項１２】
請求項１１のコンピュータプログラムにおいて、
前記反応情報表示手段は、各ユーザー側端末装置と対応付けられた複数のユーザーアイコン表示領域を整列配置したユーザーアイコン集合表示領域を、提供者側表示装置の一部に設定し、各ユーザー側端末装置からの反応情報に対応する情報を、対応するユーザーアイコン表示領域にアイコン表示するよう制御するユーザーアイコン表示手段を備えたこと、
を特徴とするもの。
【請求項１３】
請求項１１のコンピュータプログラムにおいて、
前記システムは、さらに、当該システムを構成する前記各端末装置間で通信される情報の内容を通信時刻および情報種別と関連付けて記憶する通信情報データベースを有する通信情報記憶装置、を備え、
当該コンピュータプログラムは、さらに、提供者側端末装置を、通信情報データベースに記憶されている前記各端末装置間で通信された情報の一部または全部を通信時刻および情報種別を指定して取得し、取得した情報に対応する情報を提供者側表示装置に再生表示する通信情報再生手段として機能させること、
を特徴とするもの。
【請求項１４】
提供者側表示装置を備えた提供者側端末装置と、
ユーザー側入力操作装置とユーザー側表示装置とを備え情報通信網を介して提供者側端末装置と通信可能な、複数のユーザー側端末装置と、
を有するシステムに用いるユーザー側端末装置を、
提供者側端末装置により発信された評価対象情報を情報通信網を介して受信してユーザー側表示装置に表示する評価対象情報表示手段と、
表示された評価対象情報に反応してユーザー側入力操作装置が操作されると、当該ユーザー側端末装置と対応付けられた反応情報であって、情報通信網を介して提供者側端末装置に送信され当該反応情報に対応した情報が提供者側表示装置に表示される反応情報を発信する反応情報発信手段と、
して機能させるためのコンピュータプログラム。
【請求項１５】
請求項１４のコンピュータプログラムにおいて、
当該ユーザー側端末装置は、情報通信網を介して他のユーザー側端末装置とも通信可能であり、
当該コンピュータプログラムは、さらに、ユーザー側端末装置を、
他のユーザー側端末装置により発信された反応情報を情報通信網を介して受信する他ユーザー情報取得手段と、
各ユーザー側端末装置からの反応情報に対応した情報をユーザー側表示装置に表示する反応情報表示手段と、
して機能させること、を特徴とするもの。
【請求項１６】
請求項１５のコンピュータプログラムにおいて、
前記反応情報表示手段は、各ユーザー側端末装置と対応付けられた複数のユーザーアイコン表示領域を整列配置したユーザーアイコン集合表示領域を、ユーザー側表示装置の一部に設定し、各ユーザー側端末装置からの反応情報に対応する情報を、対応するユーザーアイコン表示領域にアイコン表示するよう制御するユーザーアイコン表示手段を備えたこと、
を特徴とするもの。
【請求項１７】
請求項１４のコンピュータプログラムにおいて、
前記システムは、さらに、当該システムを構成する前記各端末装置間で通信される情報の内容を通信時刻および情報種別と関連付けて記憶する通信情報データベースを有する通信情報記憶装置、を備え、
当該ユーザー側端末装置は、情報通信網を介して通信情報記憶装置とも通信可能であり、
当該コンピュータプログラムは、さらに、ユーザー端末装置を、通信情報データベースに記憶されている前記各端末装置間で通信された情報の一部または全部を通信時刻および情報種別を指定して取得し、取得した情報に対応する情報をユーザー側表示装置に再生表示する通信情報再生手段として機能させること、
を特徴とするもの。
【請求項１８】
請求項１１ないし１７のいずれかのコンピュータプログラムを記録した記録媒体。
【発明の詳細な説明】
【技術分野】
【０００１】
この発明は、反応情報表示システム等に関し、とくに、情報通信網を介して通信可能な提供者側端末装置とユーザー側端末装置とを有するシステムにおいて反応情報を表示する技術に関する。
【背景技術】
【０００２】
講師が講義をしている映像や音声を、ネットワークを介して、多数の生徒にリアルタイムで送信する学習システムが知られている。このような学習システムを用いれば、簡易なシステムでありながら、生徒は、それぞれの自宅にいながら教室にいるのと変わらない講義を受けることができる。しかし、従来のこのような学習システムでは、個々の生徒の反応が講義中の講師に伝わらないため、教室での授業のように、生徒の反応をリアルタイムで講義にフィードバックさせることができなかった。
【０００３】
一方、生徒の反応を把握することのできるネットワーク型学習システムとして、ネットワーク型マルチユーザー仮想空間による学習システム（特開平８−２１２１７３号公報参照）が提案されている。このシステムでは、複数の学習ステップと各生徒とをオブジェクト表示した仮想空間を定義することで、学習ステップが進行するにつれて仮想空間を移動して行く各生徒の様子を、講師端末にて観察することができる。
【０００４】
また、生徒端末にテレビカメラを設置し、各生徒の表情を講師端末で観察することができるようにしたネットワーク型学習システムも提案されている。
【０００５】
しかしながら、前者のシステムは、複雑なシステムの構築が必要となるうえ、同一内容の講義を受講する多数の生徒の反応をリアルタイムで講義にフィードバックさせるというような、通常、教室で行われる授業形態を実現するものではない。また、後者のシステムは、テレビカメラやブロードバンド回線など特別の装備が全生徒端末に必要となるうえ、情報量がぼう大となるため情報の伝達が遅くなる。さらに、ネットワーク負荷の制限から、講師端末に同時に表示できる生徒の数が限られる。このため、生徒が多数になると、教室のように、リアルタイムで生徒全体の反応を把握することは不可能となる。
【発明の概要】
【発明が解決しようとする課題】
【０００６】
この発明は、このような従来のネットワークを利用した学習システムの問題点を解決し、特別の装備を用いない簡易な構成でありながら、情報通信網を介して提供される１つの評価対象情報に対する多数のユーザーの反応をリアルタイムで容易に把握することのできる反応情報表示システム等を提供することを目的とする。
【課題を解決するための手段】
【０００７】
この発明による反応情報表示システムは、提供者側表示装置を備えた提供者側端末装置と、ユーザー側入力操作装置とユーザー側表示装置とを備え情報通信網を介して提供者側端末装置と通信可能な、複数のユーザー側端末装置と、を有するシステムであって、提供者側端末装置は、評価対象情報を発信する評価対象情報発信手段を備え、ユーザー側端末装置は、提供者側端末装置により発信された評価対象情報を情報通信網を介して受信してユーザー側表示装置に表示する評価対象情報表示手段と、表示された評価対象情報に反応してユーザー側入力操作装置が操作されると当該ユーザー側端末装置と対応付けられた反応情報を発信する反応情報発信手段と、を備え、提供者側端末装置は、さらに、ユーザー側端末装置により発信された反応情報を情報通信網を介して受信するとともに受信した反応情報に対応した情報を提供者側表示装置に表示する反応情報表示手段を備えた、ことを特徴とする。
【０００８】
この発明による提供者側端末装置は、提供者側表示装置を備えた提供者側端末装置と、ユーザー側入力操作装置とユーザー側表示装置とを備え情報通信網を介して提供者側端末装置と通信可能な、複数のユーザー側端末装置と、を有するシステムに用いる提供者側端末装置であって、評価対象情報を発信する評価対象情報発信手段と、評価対象情報発信手段によって発信され情報通信網を介してユーザー側端末装置に受信されユーザー側表示装置に表示された評価対象情報に反応してユーザー側入力操作装置が操作された結果発信される当該ユーザー側端末装置と対応付けられた反応情報を情報通信網を介して受信するとともに受信した反応情報に対応した情報を提供者側表示装置に表示する反応情報表示手段と、を備えた、ことを特徴とする。
【０００９】
この発明によるユーザー側端末装置は、提供者側表示装置を備えた提供者側端末装置と、ユーザー側入力操作装置とユーザー側表示装置とを備え情報通信網を介して提供者側端末装置と通信可能な、複数のユーザー側端末装置と、を有するシステムに用いるユーザー側端末装置であって、提供者側端末装置により発信された評価対象情報を情報通信網を介して受信してユーザー側表示装置に表示する評価対象情報表示手段と、表示された評価対象情報に反応してユーザー側入力操作装置が操作されると、当該ユーザー側端末装置と対応付けられた反応情報であって、情報通信網を介して提供者側端末装置に送信され当該反応情報に対応した情報が提供者側表示装置に表示される反応情報を発信する反応情報発信手段と、を備えた、ことを特徴とする。
【００１０】
この発明によるコンピュータプログラムは、提供者側表示装置を備えた提供者側端末装置と、ユーザー側入力操作装置とユーザー側表示装置とを備え情報通信網を介して提供者側端末装置と通信可能な、複数のユーザー側端末装置と、を有するシステムに用いる提供者側端末装置を、評価対象情報を発信する評価対象情報発信手段と、評価対象情報発信手段によって発信され情報通信網を介してユーザー側端末装置に受信されユーザー側表示装置に表示された評価対象情報に反応してユーザー側入力操作装置が操作された結果発信される当該ユーザー側端末装置と対応付けられた反応情報を情報通信網を介して受信するとともに受信した反応情報に対応した情報を提供者側表示装置に表示する反応情報表示手段と、して機能させることを特徴とする。
【００１１】
この発明によるコンピュータプログラムは、提供者側表示装置を備えた提供者側端末装置と、ユーザー側入力操作装置とユーザー側表示装置とを備え情報通信網を介して提供者側端末装置と通信可能な、複数のユーザー側端末装置と、を有するシステムに用いるユーザー側端末装置を、提供者側端末装置により発信された評価対象情報を情報通信網を介して受信してユーザー側表示装置に表示する評価対象情報表示手段と、表示された評価対象情報に反応してユーザー側入力操作装置が操作されると、当該ユーザー側端末装置と対応付けられた反応情報であって、情報通信網を介して提供者側端末装置に送信され当該反応情報に対応した情報が提供者側表示装置に表示される反応情報を発信する反応情報発信手段と、して機能させることを特徴とする。
【００１２】
本発明の特徴は、上記のように広く示すことができるが、その構成や内容は、目的および特徴とともに、図面を考慮に入れた上で、以下の開示によりさらに明らかになるであろう。
【発明の効果】
【００１３】
この発明による反応情報表示システムは、提供者側表示装置を備えた提供者側端末装置と、ユーザー側入力操作装置とユーザー側表示装置とを備え情報通信網を介して提供者側端末装置と通信可能な複数のユーザー側端末装置と、を有するシステムであって、提供者側端末装置は、評価対象情報を発信する評価対象情報発信手段を備え、ユーザー側端末装置は、提供者側端末装置により発信された評価対象情報を情報通信網を介して受信してユーザー側表示装置に表示する評価対象情報表示手段と、表示された評価対象情報に反応してユーザー側入力操作装置が操作されると当該ユーザー側端末装置と対応付けられた反応情報を発信する反応情報発信手段と、を備え、提供者側端末装置は、さらに、ユーザー側端末装置により発信された反応情報を情報通信網を介して受信するとともに受信した反応情報に対応した情報を提供者側表示装置に表示する反応情報表示手段を備えた、ことを特徴とする。
【００１４】
この発明による提供者側端末装置は、提供者側表示装置を備えた提供者側端末装置と、ユーザー側入力操作装置とユーザー側表示装置とを備え情報通信網を介して提供者側端末装置と通信可能な複数のユーザー側端末装置と、を有するシステムに用いる提供者側端末装置であって、評価対象情報を発信する評価対象情報発信手段と、評価対象情報発信手段によって発信され情報通信網を介してユーザー側端末装置に受信されユーザー側表示装置に表示された評価対象情報に反応してユーザー側入力操作装置が操作された結果発信される当該ユーザー側端末装置と対応付けられた反応情報を情報通信網を介して受信するとともに受信した反応情報に対応した情報を提供者側表示装置に表示する反応情報表示手段と、を備えた、ことを特徴とする。
【００１５】
この発明によるユーザー側端末装置は、提供者側表示装置を備えた提供者側端末装置と、ユーザー側入力操作装置とユーザー側表示装置とを備え情報通信網を介して提供者側端末装置と通信可能な複数のユーザー側端末装置と、を有するシステムに用いるユーザー側端末装置であって、提供者側端末装置により発信された評価対象情報を情報通信網を介して受信してユーザー側表示装置に表示する評価対象情報表示手段と、表示された評価対象情報に反応してユーザー側入力操作装置が操作されると、当該ユーザー側端末装置と対応付けられた反応情報であって、情報通信網を介して提供者側端末装置に送信され当該反応情報に対応した情報が提供者側表示装置に表示される反応情報を発信する反応情報発信手段と、を備えた、ことを特徴とする。
【００１６】
この発明によるコンピュータプログラム、およびコンピュータプログラムを記録した記録媒体は、提供者側表示装置を備えた提供者側端末装置と、ユーザー側入力操作装置とユーザー側表示装置とを備え情報通信網を介して提供者側端末装置と通信可能な複数のユーザー側端末装置と、を有するシステムに用いる提供者側端末装置を、評価対象情報を発信する評価対象情報発信手段と、評価対象情報発信手段によって発信され情報通信網を介してユーザー側端末装置に受信されユーザー側表示装置に表示された評価対象情報に反応してユーザー側入力操作装置が操作された結果発信される当該ユーザー側端末装置と対応付けられた反応情報を情報通信網を介して受信するとともに受信した反応情報に対応した情報を提供者側表示装置に表示する反応情報表示手段と、して機能させることを特徴とする。
【００１７】
この発明によるコンピュータプログラム、およびコンピュータプログラムを記録した記録媒体は、提供者側表示装置を備えた提供者側端末装置と、ユーザー側入力操作装置とユーザー側表示装置とを備え情報通信網を介して提供者側端末装置と通信可能な複数のユーザー側端末装置と、を有するシステムに用いるユーザー側端末装置を、提供者側端末装置により発信された評価対象情報を情報通信網を介して受信してユーザー側表示装置に表示する評価対象情報表示手段と、表示された評価対象情報に反応してユーザー側入力操作装置が操作されると、当該ユーザー側端末装置と対応付けられた反応情報であって、情報通信網を介して提供者側端末装置に送信され当該反応情報に対応した情報が提供者側表示装置に表示される反応情報を発信する反応情報発信手段と、して機能させることを特徴とする。
【００１８】
つまり、この発明による反応情報表示システム、提供者側端末装置、ユーザー側端末装置、コンピュータプログラム、およびコンピュータプログラムを記録した記録媒体においては、提供者側端末装置と複数のユーザー側端末装置とが、情報通信網を介して通信可能となっており、提供者側端末装置は、評価対象情報を発信し、ユーザー側端末装置は、発信された評価対象情報を情報通信網を介して受信してユーザー側表示装置に表示し、表示された評価対象情報に反応してユーザー側入力操作装置が操作されると当該ユーザー側端末装置と対応付けられた反応情報を発信し、提供者側端末装置は、さらに、発信された反応情報を情報通信網を介して受信するとともに受信した反応情報に対応した情報を提供者側表示装置に表示するよう構成されている。
【００１９】
したがって、ユーザー（たとえば、受講者）は、情報提供者（たとえば、講師）から送信されユーザー側表示装置（たとえば、ＬＣＤ）に表示された評価対象情報（たとえば、講義内容）を見て、これに対する反応（たとえば、「なるほど」）を、ユーザー側入力操作装置（たとえば、キーボードやマウス）を操作して、情報提供者に伝えることができる。情報提供者は、提供者側表示装置（たとえば、ＬＣＤ）に表示された、当該反応に対応する情報を見ることで、送信した評価対象情報に対してどのユーザーがどのような反応を示したかを、即座に知ることができる。
【００２０】
すなわち、特別の装備を用いない簡易な構成でありながら、情報通信網を介して提供される１つの評価対象情報に対する多数のユーザーの反応をリアルタイムで容易に把握することができる。このため、情報提供者は、全ユーザーが同じ場所で情報提供者に対面して評価対象情報を見聞きしているのと同様の臨場感を味わうことができる。
【００２１】
また、この発明による反応情報表示システム、提供者側端末装置、コンピュータプログラム、およびコンピュータプログラムを記録した記録媒体においては、反応情報表示手段は、各ユーザー側端末装置と対応付けられた複数のユーザーアイコン表示領域を整列配置したユーザーアイコン集合表示領域を、提供者側表示装置の一部に設定し、各ユーザー側端末装置からの反応情報に対応する情報を、対応するユーザーアイコン表示領域にアイコン表示するよう制御するユーザーアイコン表示手段を備えたこと、を特徴とする。
【００２２】
つまり、提供者側表示装置に、各ユーザーに対応した複数のユーザーアイコンを集合的に表示することができる。各ユーザーからの反応は、対応するユーザーアイコン表示領域に、その反応に対応したアイコンとして表示される。
【００２３】
したがって、情報提供者は、提供者側表示装置に設定されたユーザーアイコン集合表示領域を見ることで、送信した評価対象情報に対してどのユーザーがどのような反応を示したかを、一目で把握することができる。
【００２４】
また、この発明による反応情報表示システムおよび提供者側端末装置においては、システムは、さらに、当該システムを構成する各端末装置間で通信される情報の内容を通信時刻および情報種別と関連付けて記憶する通信情報データベースを有する通信情報記憶装置、を備え、提供者側端末装置は、さらに、通信情報データベースに記憶されている各端末装置間で通信された情報の一部または全部を通信時刻および情報種別を指定して取得し、取得した情報に対応する情報を提供者側表示装置に再生表示する通信情報再生手段を備えたこと、を特徴とする。
【００２５】
この発明によるコンピュータプログラム、およびコンピュータプログラムを記録した記録媒体においては、システムは、さらに、当該システムを構成する各端末装置間で通信される情報の内容を通信時刻および情報種別と関連付けて記憶する通信情報データベースを有する通信情報記憶装置、を備え、当該コンピュータプログラムは、さらに、提供者側端末装置を、通信情報データベースに記憶されている各端末装置間で通信された情報の一部または全部を通信時刻および情報種別を指定して取得し、取得した情報に対応する情報を提供者側表示装置に再生表示する通信情報再生手段として機能させること、を特徴とする。
【００２６】
つまり、この発明による反応情報表示システム、提供者側端末装置、コンピュータプログラム、およびコンピュータプログラムを記録した記録媒体においては、各端末装置間で通信される情報の内容が、通信時刻および情報種別と関連付けて通信情報データベースに記憶され、情報提供者は、通信情報データベースに記憶されている情報の一部または全部を通信時刻および情報種別を指定して取得し、取得した情報に対応する情報を提供者側表示装置に再生表示することができる。
【００２７】
したがって、情報提供者は、提供者側表示装置に再生表示された情報を見ることで、送信した評価対象情報に対してユーザーがどの時点でどのような反応を示したかを、あとで確認することができる。
【００２８】
また、この発明によるユーザー側端末装置においては、当該ユーザー側端末装置は、情報通信網を介して他のユーザー側端末装置とも通信可能であり、さらに、他のユーザー側端末装置により発信された反応情報を情報通信網を介して受信する他ユーザー情報取得手段と、各ユーザー側端末装置からの反応情報に対応した情報をユーザー側表示装置に表示する反応情報表示手段と、を備えたこと、を特徴とする。
【００２９】
この発明によるコンピュータプログラム、およびコンピュータプログラムを記録した記録媒体においては、ユーザー側端末装置は、情報通信網を介して他のユーザー側端末装置とも通信可能であり、当該コンピュータプログラムは、さらに、ユーザー側端末装置を、他のユーザー側端末装置により発信された反応情報を情報通信網を介して受信する他ユーザー情報取得手段と、各ユーザー側端末装置からの反応情報に対応した情報をユーザー側表示装置に表示する反応情報表示手段と、して機能させること、を特徴とする。
【００３０】
つまり、この発明によるユーザー側端末装置、コンピュータプログラム、およびコンピュータプログラムを記録した記録媒体においては、ユーザー側端末装置は、情報通信網を介して他のユーザー側端末装置とも通信可能であり、他のユーザー側端末装置により発信された反応情報を情報通信網を介して受信し、各ユーザー側端末装置からの反応情報に対応した情報をユーザー側表示装置に表示することができる。
【００３１】
したがって、ユーザーは、情報提供者から送信された評価対象情報に対して他のユーザーがどのような反応を示したかを、即座に知ることができる。このため、各ユーザーは、全ユーザーが同じ場所で情報提供者に対面して評価対象情報を見聞きしているのと同様の臨場感を味わうことができる。
【００３２】
また、この発明によるユーザー側端末装置、コンピュータプログラム、およびコンピュータプログラムを記録した記録媒体においては、反応情報表示手段は、各ユーザー側端末装置と対応付けられた複数のユーザーアイコン表示領域を整列配置したユーザーアイコン集合表示領域を、ユーザー側表示装置の一部に設定し、各ユーザー側端末装置からの反応情報に対応する情報を、対応するユーザーアイコン表示領域にアイコン表示するよう制御するユーザーアイコン表示手段を備えたこと、を特徴とする。
【００３３】
つまり、ユーザー側表示装置に、他のユーザーを含む各ユーザーに対応した複数のユーザーアイコンを集合的に表示することができる。各ユーザーからの反応は、対応するユーザーアイコン表示領域に、その反応に対応したアイコンとして表示される。
【００３４】
したがって、各ユーザーは、ユーザー側表示装置に設定されたユーザーアイコン集合表示領域を見ることで、受信した評価対象情報に対してどのユーザーがどのような反応を示したかを、一目で把握することができる。
【００３５】
また、この発明によるユーザー側端末装置においては、システムは、さらに、当該システムを構成する各端末装置間で通信される情報の内容を通信時刻および情報種別と関連付けて記憶する通信情報データベースを有する通信情報記憶装置、を備え、当該ユーザー側端末装置は、情報通信網を介して通信情報記憶装置とも通信可能であり、さらに、通信情報データベースに記憶されている各端末装置間で通信された情報の一部または全部を通信時刻および情報種別を指定して取得し、取得した情報に対応する情報をユーザー側表示装置に再生表示する通信情報再生手段を備えたこと、を特徴とする。
【００３６】
この発明によるコンピュータプログラム、およびコンピュータプログラムを記録した記録媒体においては、システムは、さらに、当該システムを構成する各端末装置間で通信される情報の内容を通信時刻および情報種別と関連付けて記憶する通信情報データベースを有する通信情報記憶装置、を備え、ユーザー側端末装置は、情報通信網を介して通信情報記憶装置とも通信可能であり、当該コンピュータプログラムは、さらに、ユーザー端末装置を、通信情報データベースに記憶されている各端末装置間で通信された情報の一部または全部を通信時刻および情報種別を指定して取得し、取得した情報に対応する情報をユーザー側表示装置に再生表示する通信情報再生手段として機能させること、を特徴とする。
【００３７】
つまり、この発明によるユーザー側端末装置、コンピュータプログラム、およびコンピュータプログラムを記録した記録媒体においては、各端末装置間で通信される情報の内容が、通信時刻および情報種別と関連付けて通信情報データベースに記憶され、ユーザーは、通信情報データベースに記憶されている情報の一部または全部を通信時刻および情報種別を指定して取得し、取得した情報に対応する情報をユーザー側表示装置に再生表示することができる。
【００３８】
したがって、ユーザーは、ユーザー側表示装置に再生表示された情報を見ることで、再度、評価対象情報を確認することができる。また、評価対象情報に対して自分自身や他のユーザーがどの時点でどのような反応を示したかを、あとで確認することができる。
【図面の簡単な説明】
【００３９】
【図１】図１は、この発明の一実施形態による反応情報表示システム２の構成を示す図面である。
【図２】図２は、図１の反応情報表示システム２を構成する提供者側端末装置４および通信情報記憶装置１０の構成を示すブロック図である。
【図３】図３は、図１の反応情報表示システム２を構成するユーザー側端末装置６の構成を示すブロック図である。
【図４】図４は、提供者側端末装置４としての講師端末４のハードウェア構成を説明するためのブロック図である。
【図５】図５は、ユーザー側端末装置６としての受講生端末６のハードウェア構成を説明するためのブロック図である。
【図６】図６は、通信情報記憶装置１０としてのデータ管理サーバ１０のハードウェア構成を説明するためのブロック図である。
【図７】図７は、反応情報表示処理の流れの一例を示すフローチャートである。
【図８】図８は、図７に示す処理の一部を詳細に表したフローチャートである。
【図９】図９は、図８に示す処理の一部を詳細に表したフローチャートである。
【図１０】図１０は、図８に示す処理の他の一部を詳細に表したフローチャートである。
【図１１】図１１は、図８に示す処理のさらに他の一部を詳細に表したフローチャートである。
【図１２】図１２は、通信情報再生処理の流れの一例を示すフローチャートである。
【図１３】図１３は、通信情報データベース８０のデータ構造の一例を示す図面である。
【図１４】図１４Ａは、通信情報再生処理の際に用いられる評価対象情報要求信号のデータ構造の一例を示す図面である。図１４Ｂは、通信情報再生処理の際に用いられる反応情報要求信号のデータ構造の一例を示す図面である。
【図１５】図１５は、反応情報表示処理における講師端末４のＬＣＤ４４の表示画面１００の様子を説明するための図面である。
【図１６】図１６は、反応情報表示処理における講師端末４のＬＣＤ４４の表示画面１００の様子を説明するための他の図面である。
【図１７】図１７は、反応情報表示処理における受講生端末６のＬＣＤ６４の表示画面１１０の様子を説明するための図面である。
【図１８】図１８は、反応情報表示処理における講師端末４のＬＣＤ４４の表示画面１００の様子を説明するためのさらに他の図面である。
【図１９】図１９は、通信情報再生処理における講師端末４のＬＣＤ４４の表示画面１００の様子を説明するための図面である。
【発明を実施するための形態】
【００４０】
図１は、この発明の一実施形態による反応情報表示システム２の構成を示す図面である。反応情報表示システム２においては、提供者側端末装置４と、複数のユーザー側端末装置６と、通信情報記憶装置１０とが、情報通信網８を介して相互に通信可能となっている。
【００４１】
図２および図３は、それぞれ、図１の反応情報表示システム２を構成する提供者側端末装置４および通信情報記憶装置１０、ならびにユーザー側端末装置６の構成を示すブロック図である。
【００４２】
図２に示すように、提供者側端末装置４は、提供者側入力装置１１，提供者側表示装置１２、反応情報表示手段１３，通信情報再生手段１４，評価対象情報表示手段１５，および評価対象情報発信手段１６を備えている。
【００４３】
提供者側入力装置１１を介して入力された評価対象情報は、評価対象情報表示手段１５を介して提供者側表示装置１２に表示されるとともに、評価対象情報発信手段１６を介して発信される。
【００４４】
反応情報表示手段１３は、ユーザー側端末装置６により発信された反応情報を情報通信網８を介して受信するとともに受信した反応情報に対応した情報を提供者側表示装置１２に表示する。反応情報表示手段１３は、ユーザーアイコン表示手段１３ａ、反応文字列表示手段１３ｂ、反応グラフ表示手段１３ｃ、および反応記録表示手段１３ｄを備えている。
【００４５】
ユーザーアイコン表示手段１３ａは、各ユーザー側端末装置６と対応付けられた複数のユーザーアイコン表示領域を整列配置したユーザーアイコン集合表示領域を、提供者側表示装置１２の一部に設定し、各ユーザー側端末装置６からの反応情報に対応する情報を、対応するユーザーアイコン表示領域にアイコン表示するよう制御する。この実施形態では、ユーザーアイコン表示領域に表示されるユーザーアイコンの色を、反応情報の内容に応じて変化させるようにしている。
【００４６】
反応文字列表示手段１３ｂは、各ユーザー側端末装置６からの反応情報に対応する文字列（たとえば、「なるほど」や「？？？」）を提供者側表示装置１２に表示するよう制御する。したがって、どのような内容の反応情報を受信したかを容易に把握することができる。この実施形態においては、反応文字列の表示と上記アイコン表示とを同時に行うようにしているから、どのユーザーがどのような内容の反応を示したかが、一目で把握できる。
【００４７】
反応グラフ表示手段１３ｃは、各ユーザー側端末装置６からの反応情報の統計値、たとえば、各反応情報の受信回数を、提供者側表示装置１２にグラフ表示するよう制御する。したがって、多数のユーザーからの反応の傾向を容易に把握することができる。この実施形態においては、反応グラフ表示と、上記アイコン表示および反応文字列表示とを、同時に行うようにしている。したがって、多数のユーザーからの反応の傾向と同時に、どのユーザーがどのような内容の反応を示したかが、一目で把握できる。このため、情報提供者は、全ユーザーが同じ場所で情報提供者に対面して評価対象情報を見聞きしているのと同様の臨場感を味わうことができる。
【００４８】
反応記録表示手段１３ｄは、各ユーザー側端末装置６からの反応情報を、提供者側表示装置１２に時系列で一覧表示するよう制御する。この実施形態においては、各反応情報の内容と、発信者であるユーザーとを対応付けて表示するようにしている。したがって、どの時間帯に（たとえば、現在）どのユーザーからどのような反応が多かったのか（多いのか）を容易に把握することができる。
【００４９】
通信情報再生手段１４は、後述の通信情報データベース８０に記憶されている各端末装置４，６間で通信された情報の一部または全部を通信時刻および情報種別を指定して取得し、取得した情報に対応する情報を提供者側表示装置１２に再生表示する。
【００５０】
通信情報記憶装置１０は、当該システム２を構成する各端末装置、すなわち、提供者側端末装置４および複数のユーザー側端末装置６相互間で通信される情報の内容を通信時刻および情報種別と関連付けて記憶する通信情報データベース８０を備えている。
【００５１】
つぎに、図３に示すように、ユーザー側端末装置６は、ユーザー側入力操作装置３１，ユーザー側表示装置３２、反応情報表示手段３３，通信情報再生手段３４，評価対象情報表示手段３５，反応情報発信手段３６、および他ユーザー情報取得手段３７を備えている。
【００５２】
評価対象情報表示手段３５は、提供者側端末装置４により発信された評価対象情報を情報通信網８を介して受信してユーザー側表示装置３２に表示する。
【００５３】
反応情報発信手段３６は、ユーザー側表示装置３２に表示された評価対象情報に反応してユーザー側入力操作装置３１が操作されると、当該ユーザー側端末装置６と対応付けられた反応情報を発信する。
【００５４】
他ユーザー情報取得手段３７は、他のユーザー側端末装置６により発信された反応情報を情報通信網８を介して受信する。
【００５５】
反応情報表示手段３３は、他ユーザー情報取得手段３７を介して受信した他のユーザーからの反応情報および自己のユーザー側入力操作装置３１の操作により生成された自己の反応情報について、反応情報に対応した情報を自己のユーザー側表示装置３２に表示する。反応情報表示手段３３は、ユーザーアイコン表示手段３３ａ、反応文字列表示手段３３ｂ、反応グラフ表示手段３３ｃ、および反応記録表示手段３３ｄを備えている。
【００５６】
ユーザーアイコン表示手段３３ａ、反応文字列表示手段３３ｂ、反応グラフ表示手段３３ｃ、および反応記録表示手段３３ｄの構成は、反応情報に対応した情報を自己のユーザー側表示装置３２に表示する点を除き、それぞれ、図２に示す提供者側端末装置４の反応情報表示手段１３のユーザーアイコン表示手段１３ａ、反応文字列表示手段１３ｂ、反応グラフ表示手段１３ｃ、および反応記録表示手段１３ｄのそれと同様である。
【００５７】
したがって、各ユーザーは、全ユーザーが同じ場所で情報提供者に対面して評価対象情報を見聞きしているのと同様の臨場感を味わうことができる。
【００５８】
通信情報再生手段３４は、通信情報記憶装置１０の通信情報データベース８０に記憶されている各端末装置４，６間で通信された情報の一部または全部を通信時刻および情報種別を指定して取得し、取得した情報に対応する情報をユーザー側表示装置３２に再生表示する。
【００５９】
図４〜図１９は、反応情報表示システム２を遠隔授業に適用した場合の一例を説明するための図面である。
【００６０】
図４、図５，図６は、それぞれ、提供者側端末装置４としての講師端末４，ユーザー側端末装置６としての受講生端末６，通信情報記憶装置１０としてのデータ管理サーバ１０のハードウェア構成を説明するためのブロック図である。
【００６１】
図４に示すように、講師端末４は、記憶手段であり本システムの講師端末４側のプログラムを記録した記録媒体であるハードディスク５０、ハードディスク５０に記録されたプログラムを主メモリ４０にロードして実行する制御手段であるＣＰＵ４２，提供者側表示装置１２であるＬＣＤ（液晶表示装置）４４，提供者側入力装置１１であるキーボード４６、マウス４８，ペンタブレット５４，カメラ５６およびマイクロフォン５８、ならびに、情報通信網８としてのインターネット８を介して受講生端末６およびデータ管理サーバ１０等と通信するための通信インタフェース５２を備えている。
【００６２】
図５に示すように、受講生端末６は、汎用のパーソナルコンピュータであり、ユーザー側表示装置３２であるＬＣＤ６４およびスピーカ７４、ユーザー側入力操作装置３１であるキーボード６６およびマウス６８、ＯＳ（オペレーションシステム）等のプログラムを記録した記録媒体であるハードディスク７０、ハードディスク７０に記録されたプログラム等を主メモリ６０にロードして実行するＣＰＵ６２，インターネット８を介して講師端末４、他の受講生端末６およびデータ管理サーバ１０等と通信するための通信インタフェース７２を備えている。
【００６３】
なお、この実施形態においては、受講生が受講を希望する場合、インターネット８を介して、受講生端末６から、プログラム配布サーバ（図示せず）にアクセスすると、自動的に、受講生端末６の主メモリ６０に、本システムの受講生端末６側のプログラムがロードされ、実行される。したがって、主メモリ６０を、本システムの受講生端末６側のプログラムを記録した記録媒体として把握することもできる。受講を終了すると、当該プログラムは、自動的に消去される。
【００６４】
図６に示すように、データ管理サーバ１０は、通信情報データベース８０を構成するデータを記憶する記録媒体であり、少なくとも、ＯＳやデータベースプログラム等を記録した記録媒体でもあるハードディスク２４、ハードディスク２４に記録されたプログラム等を実行するＣＰＵ２２，インターネット８を介して講師端末４および受講生端末６等と通信するための通信インタフェース２６を備えている。
【００６５】
つぎに、図７は、反応情報表示処理の流れの一例を示すフローチャートである。図８は、図７に示す処理の一部を詳細に表したフローチャートである。図９〜図１１は、図８に示す処理の一部を詳細に表したフローチャートである。図１２は、通信情報再生処理の流れの一例を示すフローチャートである。
【００６６】
図１３は、通信情報データベース８０のデータ構造の一例を示す図面である。図１４Ａおよび図１４Ｂは、それぞれ、通信情報再生処理の際に用いられる評価対象情報要求信号および反応情報要求信号のデータ構造の一例を示す図面である。
【００６７】
図１５，図１６，図１８は、反応情報表示処理における講師端末４のＬＣＤ４４の表示画面１００の様子を説明するための図面である。図１７は、反応情報表示処理における受講生端末６のＬＣＤ６４の表示画面１１０の様子を説明するための図面である。図１９は、通信情報再生処理における講師端末４のＬＣＤ４４の表示画面１００の様子を説明するための図面である。
【００６８】
図４〜図１９に基づいて、反応情報表示システム２を遠隔授業に適用した場合の反応情報表示処理および通信情報再生処理を説明する。
【００６９】
まず、図４に示す講師端末４のＣＰＵ４２は、図７に示すように、評価対象情報が入力されたか否かを監視しており、評価対象情報が入力されない場合には、制御をステップＳ４に移す（ステップＳ１）。
【００７０】
評価対象情報およびその入力方法について説明する。評価対象情報とは、ユーザーである受講者に送信される情報であって、受講者による評価の対象となる情報である。受講者は、評価対象情報に対する評価を、反応情報という形で、評価対象情報の提供者である講師に返信するのである。この実施形態においては、評価対象情報として、たとえば、画像情報、映像情報、音声情報が想定されている。
【００７１】
画像情報とは、図１７に示す受講生端末６のＬＣＤ６４の表示画面１１０を構成する画像表示領域１１１に表示される情報である。画像情報として、たとえば、板書情報１０６、選択肢情報１０７がある。
【００７２】
板書情報１０６とは、講師による手書きの文字、図形、記号等により構成された情報である。板書情報１０６の入力方法はとくに限定されるものではないが、たとえば、図４に示す講師端末４を構成するペンタブレット５４から入力される。この場合、講師は、ペンタブレット５４をたとえばホワイトボードに見立て、板書するのである。
【００７３】
選択肢情報１０７とは、講師から受講生に与えられる選択肢を示す情報である。通常、講師端末４から入力された１セットの選択肢情報１０７、１０７，…が、受講生端末６のＬＣＤ６４の表示画面１１０を構成する画像表示領域１１１に表示される。後述のように、受講生端末６においていずれかの選択肢情報１０７がクリック（選択）されると、選ばれた選択肢情報１０７を示す情報が反応情報として受講生端末６から発信される。
【００７４】
講師端末４における選択肢情報１０７の入力方法はとくに限定されるものではないが、たとえば、図１５に示す講師端末４のＬＣＤ４４の表示画面１００を構成する選択肢入力領域１０４を用いて入力される。すなわち、選択肢情報１０７は、選択肢入力領域１０４の選択肢設定領域１０４ａに設定されたあと、対応する選択肢表示ボタン１０４ｃをクリック（選択）することにより入力される。
【００７５】
選択肢設定領域１０４ａに選択肢情報１０７を設定するには、キーボード４６から直接、選択肢設定領域１０４ａに文字データを入力することもできるが、多用する選択肢情報のセット（たとえば「大きい」、「等しい」および「小さい」）をハードディスク５０の選択肢登録領域（図示せず）に予め登録しておき、登録選択肢表示領域１０４ｂに表示された複数の選択肢情報のセットの中から必要な選択肢のセットを選んで、選択肢設定領域１０４ａ、１０４ａ、…に設定するようにしてもよい。
【００７６】
つぎに、映像情報とは、図１７に示す受講生端末６のＬＣＤ６４の表示画面１１０を構成する映像表示領域１１２に表示される情報である。映像情報として、たとえば、動画情報、静止画情報がある。
【００７７】
映像情報の入力方法はとくに限定されるものではないが、たとえば、図４に示す講師端末４を構成するカメラ５６から入力される。カメラ５６の構成はとくに限定されるものでなく、映像情報の種類によって適宜変更される。映像情報が動画情報の場合、カメラ５６として、たとえばテレビカメラが選択され、映像情報が静止画情報の場合には、カメラ５６として、たとえばデジタルカメラが選択される。もちろん、予め録画された映像情報を所定の入力手段を介して入力することもできる。
【００７８】
音声情報とは、図５に示す受講生端末６のスピーカ７４から出力される情報である。音声情報の入力方法はとくに限定されるものではないが、たとえば、図４に示す講師端末４を構成するマイクロフォン５８から入力される。もちろん、予め録音された音声情報を所定の入力手段を介して入力することもできる。
【００７９】
映像情報、音声情報の内容は、とくに限定されるものではないが、たとえば、講義中の講師の表情、声等である。
【００８０】
図７に戻って、このようにして、講師端末４において評価対象情報が入力されると、講師端末４のＣＰＵ４２は、入力された評価対象情報を通信インタフェース５２を介して発信するとともに、その一部または全部を、講師端末４にも表示する（ステップＳ２，ステップＳ３）。
【００８１】
図１６に示すように、この実施形態においては、発信した評価対象情報のうち画像情報を構成する板書情報１０６および選択肢情報１０７が、講師端末４のＬＣＤ４４の表示画面１００を構成する画像表示領域１０１に表示される。
【００８２】
図７のステップＳ２およびステップＳ３が、それぞれ、図２の評価対象情報発信手段１６および評価対象情報表示手段１５に対応する。
【００８３】
図７に示すように、講師端末４から発信された評価対象情報は、インターネット８を介して、受講生端末６によって受信される。すなわち、受講生端末６のＣＰＵ６２は、評価対象情報を受信したか否かを監視しており、評価対象情報を受信しなかった場合には制御をステップＳ１３に移し、評価対象情報を受信すると、これを受講生端末６に表示する。（ステップＳ１１、ステップＳ１２）。
【００８４】
受講生端末６によって受信された評価対象情報のうち、音声情報はスピーカ７４によって再生され、画像情報および映像情報は、それぞれ、図１７に示すＬＣＤ６４の表示画面１１０の画像表示領域１１１および映像表示領域１１２に表示される。
【００８５】
図７のステップＳ１２が、図３の評価対象情報表示手段３５に対応する。
【００８６】
図７に示すように、つぎに受講生端末６のＣＰＵ６２は、表示された評価対象情報に対する反応情報が入力されたか否かを監視しており、反応情報が入力されない場合には、制御をステップＳ１６に移す（ステップＳ１３）。
【００８７】
反応情報の態様および内容はとくに限定されるものではないが、たとえば、表示された評価対象情報に対する受講者の理解度を示す理解度情報や表示された選択肢情報に対する受講者の回答を示す選択肢回答情報がある。
【００８８】
反応情報の入力方法はとくに限定されるものではないが、一般的なパーソナルコンピュータに通常備えられている入力操作装置、たとえばキーボードやマウスを介して入力するのが好ましい。なお、音声入力システムを使用することができる場合には、マイクロフォン（図示せず）も、入力操作装置に該当する。
【００８９】
理解度情報および選択肢回答情報の内容や入力方法の一例を、図１７に示す受講生端末６のＬＣＤ６４の表示画面１１０を参照しつつ説明する。
【００９０】
表示画面１１０の画像表示領域１１１の下部に理解度情報入力領域１１３が設定されている。理解度情報入力領域１１３には、理解度に応じた複数の選択肢がボタンの形で表示されている。この例では、理解できたことを示す選択肢に対応するボタン１１３ａ（「なるほど」）と、理解できなかったことを示す選択肢に対応するボタン１１３ｂ（「？？？」）が表示されている。受講生は、理解度情報入力領域１１３に表示されたボタンのうち、自己の理解度に応じたボタンをクリック（選択）することにより、理解度情報を入力することができる。
【００９１】
一方、選択肢問題が表示された場合、すなわち、表示画面１１１に複数の選択肢情報１０７、１０７、…が表示された場合には、受講者は、自己の回答とすべき選択肢情報１０７をクリック（選択）すればよい。このようにして選択された選択肢情報１０７に対応する情報が、選択肢回答情報となる。
【００９２】
このようにして、受講生端末６において反応情報が入力されると、受講生端末６のＣＰＵ６２は、図７に示すように、入力された反応情報を通信インタフェース７２を介して発信するとともに、その一部または全部に対応する情報を、自己の受講生端末６にも表示する（ステップＳ１４，ステップＳ１５）。
【００９３】
図７のステップＳ１４が、図３の反応情報発信手段３６に対応する。なお、ステップＳ１５については後述する。
【００９４】
図７に示すように、受講生端末６から発信された反応情報は、インターネット８を介して、講師端末４によって受信される。すなわち、講師端末４のＣＰＵ４２は、反応情報を受信したか否かを監視しており、反応情報を受信しなかった場合は制御をステップＳ１に戻す。一方、反応情報を受信すると、これに対応する情報を講師端末４に表示する。（ステップＳ４、ステップＳ５）。
【００９５】
受信した反応情報に対応する情報の表示内容や表示方法はとくに限定されるものではないが、たとえば、ユーザーアイコン、反応文字列、反応グラフ、反応記録として、講師端末４のＬＣＤ４４の表示画面１００に表示される。以下に、ユーザーアイコン、反応文字列、反応グラフ、反応記録について詳述する。
【００９６】
図１８に示す講師端末４の表示画面１００の画像表示領域１０１の下部に設けられたユーザーアイコン集合表示領域１０２には、各受講生端末６と一対一に対応付けて整列配置された複数のユーザーアイコン表示領域が設けられ、各ユーザーアイコン表示領域に、それぞれ、ユーザーアイコン１０２ａ、１０２ｂ、１０２ｃ、…が表示されている。反応情報の発信元の受講生端末６に対応したユーザーアイコンの色を、反応情報の内容に応じて変化させるようにしている。したがって、評価対象情報に対する受講生の理解度や選択肢問題に対する受講生の回答内容が、受講生ごとに容易に把握できる。
【００９７】
この例では、ユーザーアイコン１０２ａ、１０２ｂ、１０２ｃに対応する受講生が、それぞれ、「？？？」、「なるほど」、「なるほど」に対応する反応を示し、他の受講生は、全く反応を示していない。
【００９８】
表示画面１００の画像表示領域１０１には、受講生端末６からの反応情報に対応する文字列（たとえば、理解度情報である「なるほど」や「？？？」）が、反応文字列１０８、１０８，…として表示される。もちろん、理解度情報以外の反応情報、たとえば、選択肢回答情報の内容に対応した文字列を反応文字列として表示させることもできる。
【００９９】
また、この例では、反応情報の内容に対応して予め設定された色の反応文字列を予め設定された時間だけ、画像表示領域１０１内の不特定位置にランダムに表示するようにしている。また、この実施形態においては、反応文字列１０８の表示と上記ユーザーアイコン１０２ａ…の表示とを同時に行うようにしているから、ユーザーアイコン１０２ａ…の色の意味を知らなくても、どの受講生がどのような内容の反応を示したかが容易に把握できる。
【０１００】
さらに、表示画面１００の画像表示領域１０１には、受講者端末６からの各反応情報の受信回数示す反応グラフ１０９が表示される。この例では、理解度情報について、反応情報の内容別に異なる色の反応グラフ１０９ａ、１０９ｂを表示するとともに、これらの合計を表す反応グラフ１０９ｃも表示するようにしている。このようにすれば、反応の総数を知ることができる。反応文字列の場合と同様に、理解度情報以外の反応情報、たとえば、選択肢回答情報の内容に対応したグラフを反応グラフとして表示させることもできる。
【０１０１】
また、この例では、反応情報の受信回数が増えるたびに対応する反応グラフ１０９ａ、…の高さを更新して表示するようにしているが、予め設定された時間内に同一内容の反応情報がないと、対応する反応グラフ１０９ａ、…を消去する（徐々に高さを減じて行く）ようにしている。したがって、反応情報ごとに、一定時間内の累積度数を考慮しつつ現在の発現頻度を把握することが可能となる。
【０１０２】
図１５に示す表示画面１００の画像表示領域１０１の左側には、受講者端末６からの反応情報を時系列で一覧表示する反応記録表示領域１０３が設定されている。この実施形態においては、各反応情報の内容と、発信者である受講生とを対応付けて表示するようにしている。したがって、どの時間帯にどのユーザーからどのような反応が多かったのかを容易に把握することができる。
【０１０３】
図８は、反応情報に対応する情報として、上述のユーザーアイコン、反応文字列、反応グラフ、反応記録を表示する場合におけるステップＳ５の処理の詳細を表したものである。すなわち、ステップＳ５において、講師端末４のＣＰＵ４２は、ユーザーアイコン表示処理、反応文字列表示処理、反応グラフ表示処理、反応記録表示処理を行う（ステップＳ３１，ステップＳ３２，ステップＳ３３，ステップＳ３４）。
【０１０４】
まず、ユーザーアイコン表示処理（ステップＳ３１）について説明する。図１８に示す各ユーザーアイコン１０２ａ、１０２ｂ、１０２ｃ、…は、上述のように、各受講生端末６、６，…に対応しており、それぞれの受講生端末６、６，…には、ユーザーＩＤ（識別記号）が付与されている。なお、受信した反応情報には送信元ＩＤとして送信元のユーザーＩＤが付されているから、反応情報をみれば、どの受講生端末からの情報であるかが判別できるようになっている（図１３参照）。
【０１０５】
また、各ユーザーアイコン１０２ａ、１０２ｂ、１０２ｃ、…は、それぞれ、個別のカウントダウンタイマー（図示せず）によって時間制御されており、それぞれのカウントダウンタイマーにはカウントダウンタイマーＩＤ（識別記号）が付与されている。
【０１０６】
したがって、各ユーザーアイコン１０２ａ、１０２ｂ、１０２ｃ、…は、それぞれ、個別のユーザーＩＤおよびカウントダウンタイマーＩＤと対応付けられていることになる。
【０１０７】
このユーザーアイコン表示処理では、このように構成されたユーザーアイコン１０２ａ、１０２ｂ、１０２ｃ、…ごとに表示処理を行うようにしている。表示処理の対象となるユーザーアイコンに対応するユーザーＩＤおよびカウントダウンタイマーＩＤを、それぞれ、注目ユーザーＩＤおよび注目カウントダウンタイマーＩＤと呼ぶ。
【０１０８】
図９に基づいて、ステップＳ３１のユーザーアイコン表示処理の内容を詳述する。講師端末４のＣＰＵ４２は、まず、初期化処理を行う（ステップＳ４１）。初期化処理においては、注目ユーザーＩＤおよび注目カウントダウンタイマーＩＤについて所定の初期値を設定する。
【０１０９】
つぎにＣＰＵ４２は、受信した反応情報の送信元ＩＤが注目ユーザーＩＤに一致するか否かを判断し、一致すれば、注目ユーザーＩＤに対応するユーザーアイコンに対し反応情報に該当する色を付すとともに、注目カウントダウンタイマーＩＤで示されるカウントダウンタイマーをリセットし、ステップＳ３２に制御を移す（ステップＳ４２〜ステップＳ４４）。
【０１１０】
カウントダウンタイマーは、カウントダウンを行うタイマーであり、タイマーの値が"０"になるとカウントを停止し、リセットされると、再び所定の設定時間からカウントダウンを始める。ユーザーアイコン表示処理においては、カウントダウンタイマーの値が"０"になると、対応するユーザーアイコンに所定の表示（たとえば、黄色の点滅表示）を行う。つまり、このタイマーは、上記設定時間内にいずれの反応情報も示さない受講生端末（すなわち、無反応な受講生）を識別するためのタイマーとして機能する。
【０１１１】
上記設定時間はとくに限定されるものではないが、たとえば、１分ないし５分の間の適当な時間に設定される。また、評価対象情報の内容に応じて、講師端末４から、講師が自由に設定できるようにすることもできる。
【０１１２】
上記ステップＳ４２において、受信した反応情報の送信元ＩＤが注目ユーザーＩＤに一致しない場合、ＣＰＵ４２は、すべてのユーザーＩＤについてステップＳ４２のチェックを行ったかを判断し、未完了の場合には、次の注目ユーザーＩＤおよび注目カウントダウンタイマーＩＤを設定し、制御をステップＳ４２に戻す（ステップＳ４５，ステップＳ４６）。
【０１１３】
なお、ステップＳ４５において、全てのユーザーＩＤについてステップＳ４２のチェックが完了したと判断した場合は、そのまま、制御をステップＳ３２に移す。
【０１１４】
つぎに、反応文字列表示処理（ステップＳ３２）について説明する。この処理においては、受信した反応情報の内容である反応内容（たとえば、「なるほど」、「？？？」。図１３参照）に対応した反応文字列１０８が表示されるが、反応文字列ごとに、個別のカウントダウンタイマー（図示せず）によって時間制御されており、それぞれのカウントダウンタイマーにはカウントダウンタイマーＩＤが付与されている。
【０１１５】
したがって、各反応内容に対応する反応文字列は、それぞれ、個別のカウントダウンタイマーＩＤと対応付けられていることになる。反応文字列表示処理では、この反応文字列ごとに表示処理を行うようにしている。表示処理の対象となる反応文字列に対応する反応内容を注目反応内容と呼び、表示処理の対象となる反応文字列に対応するカウントダウンタイマーＩＤを注目カウントダウンタイマーＩＤと呼ぶ。
【０１１６】
図１０に基づいて、ステップＳ３２の反応文字列表示処理の内容を詳述する。講師端末４のＣＰＵ４２は、まず、初期化処理を行う（ステップＳ５１）。初期化処理においては、注目反応内容および注目カウントダウンタイマーＩＤについて所定の初期値を設定する。
【０１１７】
つぎにＣＰＵ４２は、受信した反応情報の内容が注目反応内容に一致するか否かを判断し、一致すれば、注目反応内容に対応する反応文字列１０８を講師端末４の表示画面１００の画像表示領域１０１に表示するとともに、注目カウントダウンタイマーＩＤで示されるカウントダウンタイマーをリセットし、ステップＳ３３に制御を移す（ステップＳ５２〜ステップＳ５４）。
【０１１８】
反応文字列表示処理においては、カウントダウンタイマーの値が"０"になるまで対応する反応文字列１０８を表示し、"０"になると、表示を消去する。このカウントダウンタイマーの設定時間はとくに限定されるものではないが、たとえば、３秒程度に予め設定される。すなわち、反応文字列１０８は、予め設定された時間の間だけ表示される。
【０１１９】
上記ステップＳ５２において、受信した反応情報の内容が注目反応内容に一致しない場合、ＣＰＵ４２は、すべての反応内容についてステップＳ５２のチェックを行ったかを判断し、未完了の場合には、次の注目反応内容および注目カウントダウンタイマーＩＤを設定し、制御をステップＳ５２に戻す（ステップＳ５５，ステップＳ５６）。
【０１２０】
なお、ステップＳ５５において、全ての反応内容についてステップＳ５２のチェックが完了したと判断した場合は、そのまま、制御をステップＳ３３に移す。
【０１２１】
つぎに、反応グラフ表示処理（ステップＳ３３）について説明する。この処理においては、受信した反応内容（たとえば、「なるほど」、「？？？」、「なるほど」または「？？？」）に対応した反応グラフ１０９ａ、１０９ｂ、１０９ｃの高さを、当該反応内容の受信回数に対応した高さに更新して表示するよう制御されるが、反応グラフごとに、個別のカウントダウンタイマー（図示せず）によって時間制御されており、それぞれのカウントダウンタイマーにはカウントダウンタイマーＩＤが付与されている。
【０１２２】
したがって、各反応内容に対応する反応グラフは、それぞれ、個別のカウントダウンタイマーＩＤと対応付けられていることになる。反応グラフ表示処理では、この反応グラフごとに表示処理を行うようにしている。表示処理の対象となる反応グラフに対応する反応内容を注目反応内容と呼び、表示処理の対象となる反応グラフに対応するカウントダウンタイマーＩＤを注目カウントダウンタイマーＩＤと呼ぶ。
【０１２３】
図１１に基づいて、ステップＳ３３の反応グラフ表示処理の内容を詳述する。講師端末４のＣＰＵ４２は、まず、初期化処理を行う（ステップＳ６１）。初期化処理においては、注目反応内容および注目カウントダウンタイマーＩＤについて所定の初期値を設定する。
【０１２４】
つぎにＣＰＵ４２は、受信した反応情報の内容が注目反応内容に一致するか否かを判断し、一致すれば、注目反応内容に対応する反応グラフを更新して講師端末４の表示画面１００の画像表示領域１０１に表示するとともに、注目カウントダウンタイマーＩＤで示されるカウントダウンタイマーをリセットし、ステップＳ３４に制御を移す（ステップＳ６２〜ステップＳ６４）。
【０１２５】
反応グラフ表示処理においては、カウントダウンタイマーの値が"０"になるまで、更新した反応グラフを表示し、"０"になると、表示を消去（反応グラフの高さを徐々に低く）する。このカウントダウンタイマーの設定時間はとくに限定されるものではないが、たとえば、３秒程度に予め設定される。すなわち、更新された反応グラフは、予め設定された時間の間だけ表示され、その後、消去される（反応グラフの高さが徐々に低くなる）。
【０１２６】
上記ステップＳ６２において、受信した反応情報の内容が注目反応内容に一致しない場合、ＣＰＵ４２は、すべての反応内容についてステップＳ６２のチェックを行ったかを判断し、未完了の場合には、次の注目反応内容および注目カウントダウンタイマーＩＤを設定し、制御をステップＳ６２に戻す（ステップＳ６５，ステップＳ６６）。
【０１２７】
なお、ステップＳ６５において、全ての反応内容についてステップＳ６２のチェックが完了したと判断した場合は、そのまま、制御をステップＳ３４に移す。
【０１２８】
つぎに、図８に示す反応記録表示処理（ステップＳ３４）について説明する。この処理においては、ＣＰＵ４２は、受信した反応情報の内容である反応内容（たとえば、「なるほど」、「？？？」。図１３参照）と、送信元ＩＤとを対応づけたレコード（文字列）を、受信時刻順に、講師端末４の表示画面１００の反応記録表示領域１０３に一覧表示する（図１５参照）。
【０１２９】
図７のステップＳ５が、図２の反応情報表示手段１３に対応し、図８のステップＳ３１〜ステップＳ３４が、図２のユーザーアイコン表示手段１３ａ、反応文字列表示手段１３ｂ、反応グラフ表示手段１３ｃ、および反応記録表示手段１３ｄに、それぞれ対応する。
【０１３０】
図７に戻って、このようにしてステップＳ５の反応情報表示処理が終了すると、講師端末４のＣＰＵ４２は、制御をステップＳ１に戻し、ステップＳ１〜ステップＳ５の処理を繰り返す。なお、講師端末４にどのような反応情報に対応する情報の表示を行うかは、適宜、選択することができる。
【０１３１】
一方、受講生端末６のＣＰＵ６２は、他の受講生端末６からの反応情報（他ユーザー情報）を監視しており、他ユーザー情報を受信しなかった場合には、制御をステップＳ１１に戻し、他ユーザー情報を受信した場合は、受信した反応情報に対応する情報の表示を行う（ステップＳ１６，ステップＳ１７）。
【０１３２】
前述のステップＳ１５の処理およびステップＳ１７の処理（反応情報表示処理）、は、いずれも、反応情報に対応する情報の表示場所が受講生端末６の表示画面１１０である点を除き、ステップＳ５の反応情報表示処理と同様の処理であり、受講生端末６の表示画面１１０も、反応情報に対応する情報の表示については、講師端末４の表示画面１００と同様の構成となる。なお、受講生端末６にどのような反応情報に対応する情報の表示を行うかは、適宜、選択することができる。受講生端末６の表示画面１００の一例を示す図１７は、受講生端末６に、反応情報に対応する表示を一切行わない場合の例である。
【０１３３】
図７のステップＳ１６が、図３の他ユーザー情報取得手段３７に対応し、ステップＳ１５およびステップＳ１７が、反応情報表示手段３３に対応する。
【０１３４】
さて、図７のステップＳ２において講師端末４から発信された評価対象情報、および、ステップＳ１４において受講生端末６から発信された反応情報は、いずれも、インターネット８を介してデータ管理サーバ１０にも受信される。すなわち、データ管理サーバ１０は、インターネット８を介して講師端末４および複数の受講生端末６，６，…間で通信される情報（通信情報）を監視しており、通信情報を受信すると、通信情報データベース８０に記憶する（ステップＳ２１、ステップＳ２２）。
【０１３５】
通信情報データベース８０に記憶される通信情報はとくに限定されるものではないが、たとえば、評価対象情報を構成する板書情報および各種制御命令情報、ならびに、評価対象情報に対する反応情報が、記憶される。制御命令情報としては、たとえば、選択肢情報を表示画面に表示させるための選択肢表示命令情報、板書情報を表示画面から消すための板書消去命令情報、映像や写真の表示命令情報および消去命令情報がある。
【０１３６】
図１３に示すように、この実施形態においては、通信情報データベース８０に、これら通信情報の情報内容が、情報種別と対応づけられ、受信時刻順に記憶されている。なお、受信時刻は、このデータ管理サーバ１０の内部時刻であり、１／６０秒の単位を持つ。
【０１３７】
板書情報の情報内容としては、たとえば、ペン先形状情報、カラーオプション情報、ストローク情報がある。ペン先形状情報は、板書する際のペン先形状を特定するための情報である。カラーオプション情報としては、使用インク情報、色情報がある。使用インク情報は、たとえば、インクの透明度を特定するための情報である。色情報は、インクの色を特定するための情報である。ストローク情報は、画像表示領域１０１におけるペン先の軌跡を示す多数の座標値により構成されている。ペン先の軌跡すなわち、画像表示領域１０１に板書された文字、図形、記号等は、ストローク情報として記載された多数の座標値を記載順にたどる線として表現されることになる。
【０１３８】
選択肢表示命令の情報内容としては、たとえば、送信元ＩＤ、送信先ＩＤ、選択肢番号情報、選択肢内容情報がある。送信元ＩＤ、送信先ＩＤは、それぞれ、選択肢情報の送信元、送信先を特定するための情報である。講師端末４から全受講生端末６，６，…に選択肢情報を送信する場合には、送信元ＩＤ、送信先ＩＤは、いずれも省略可能となっている。特定の受講生にのみ選択肢情報を送信する場合には、送信元ＩＤ、送信先ＩＤを記載する。選択肢番号情報は、選択肢の番号を特定するための情報である。選択肢内容情報は、選択肢として表示すべき内容（文字列）を特定するための情報である。
【０１３９】
反応情報の情報内容としては、たとえば、送信元ＩＤ、反応内容情報がある。送信元ＩＤは、反応情報の送信元を特定するための情報である。反応内容情報は、反応の内容を示す情報であり、たとえば、講師端末４から送信された評価対象情報に対する理解度を示す理解度情報や、講師端末４から送信された選択肢情報に対する回答を示す選択肢回答情報がある。
【０１４０】
後述のように、通信情報データベース８０に記憶されている各通信情報に基づいて、講師端末４または受講生端末６で、評価対象情報、ならびに、反応情報に対応する情報の、一部または全部を再生することができる。
【０１４１】
なお、通信情報データベースの構造は、これに限定されるものではない。たとえば、通信情報を複数のグループに分類し、グループごとに専用のテーブルに、受信時刻順に記憶させるようにしてもよい。この場合、たとえば、板書情報グループ、制御命令情報グループ、反応情報グループのように分類することもできる。
【０１４２】
つぎに、通信情報再生処理について説明する。通信情報再生処理は、通常、講義終了後の適時に実行される。図１２を参照しつつ、講師端末４において実行される通信情報再生処理について説明する。
【０１４３】
講師端末４のＣＰＵ４２は、講師端末４のキーボード４６やマウス４８などの入力装置を介して通信情報再生処理命令が入力されると、当該命令において指定された評価対象情報を送信するようデータ管理サーバ１０に要求する（ステップＳ７１）。
【０１４４】
上記通信情報再生処理命令は、評価対象情報要求信号および反応情報要求信号を含んでいる。評価対象情報要求信号は、送信を要求する評価対象情報を特定するための信号である。反応情報要求信号は、送信を要求する反応情報を特定するための信号である。
【０１４５】
評価対象情報要求信号のデータ構造を図１４Ａに示す。評価対象情報要求信号は、この信号を含む通信情報再生処理命令を送信した時刻を表す送信時刻フィールド、送信を要求する情報の種別を示す要求情報種別フィールド、および、送信を要求する情報の内容を具体的に指定する要求情報内容フィールド、を含んでいる。
【０１４６】
送信時刻は、この講師端末４の内部時刻であり、１／６０秒の単位を持つ。要求情報種別としては、たとえば画像情報がある。要求情報内容としては、たとえば、送信を要求する評価対象情報の開始時刻、時間間隔、枚数、がある。開始時刻は、たとえば、講義の開始を時刻"０"として１／６０秒単位で表現される。時間間隔は、送信を要求する評価対象情報のサンプリング周期であり、たとえば、１／６０秒単位で表現される。枚数は、送信を要求する評価対象情報のサンプル総数である。
【０１４７】
したがって、図１４Ａに例示した評価対象情報要求信号は、講義開始時点から１分間隔で合計７枚の画像情報を送信することを要求する信号であることが分かる。
【０１４８】
反応情報要求信号のデータ構造を図１４Ｂに示す。反応情報要求信号も、上述の評価対象情報要求信号と同様に、送信時刻フィールド、要求情報種別フィールド、および、要求情報内容フィールド、を含んでいる。ただし、要求情報内容フィールドが対象ユーザーＩＤを指定するフィールドを含む点で、評価対象情報要求信号と異なる。対象ユーザーＩＤを指定することで、指定されたユーザーＩＤに対応する受講生端末６からの反応情報のみを送信するようデータ管理サーバ１０に要求することができる。すなわち、特定の受講生の反応に着目して講義の状況を再現することが可能となる。
【０１４９】
なお、図１４Ｂに例示した反応情報要求信号は、講義開始時点から１分間隔で合計７枚の全受講生を対象とする反応情報を送信することを要求する信号である。
【０１５０】
図１２に戻って、ステップＳ７１では、上述の評価対象情報要求信号（図１４Ａ参照）がデータ管理サーバ１０に送信されることになる。
【０１５１】
データ管理サーバ１０のＣＰＵ２２は、インターネット８を介して評価対象情報要求信号を受信すると、当該信号にて指定された評価対象情報を通信情報データベース８０から抽出し、抽出した評価対象情報を、インターネット８を介して、講師端末４宛に送信する（ステップＳ８１）。
【０１５２】
講師端末４のＣＰＵ４２は、データ管理サーバ１０から送られてきた評価対象情報（この場合は、画像情報）を受信して、これに対応する情報を、講師端末４の表示画面１００に表示する（ステップＳ７２）。
【０１５３】
図１９に示す表示画面１００には、２つの通信情報再生領域１２１，１２２が設定されている。もちろん、表示画面１００に設定される通信情報再生領域の数は限定されるものではなく、１つであってもよいし、３つ以上であってもよい。この例では、通信情報再生領域１２１に受講生全体の反応情報に対応する情報を表示し，通信情報再生領域１２２に特定の受講生の反応情報に対応する情報を表示するようにしている。
【０１５４】
ステップＳ７２において取得した評価対象情報は、通信情報再生領域１２１の評価対象情報再生領域１２１ａに、時系列で表示される。この例では、講義開始から１分間隔でサンプリングされた合計７枚の画像情報１２３，１２３，…が、左から右へと時系列で表示されている。
【０１５５】
図１２に示すように、講師端末４のＣＰＵ４２は、つぎに、通信情報再生処理命令に含まれる反応情報要求信号（図１４Ｂ参照）で指定された反応情報を送信するよう、データ管理サーバ１０に要求する（ステップＳ７３〜ステップＳ７５）。すなわち、反応情報要求信号で指定された対象ユーザーＩＤが全ユーザーである場合には全ユーザーを対象とした反応情報を、反応情報要求信号で指定された対象ユーザーＩＤが特定のユーザーである場合には当該ユーザーを対象とした反応情報を、それぞれ、送信するようデータ管理サーバ１０に要求する。
【０１５６】
具体的には、図１４Ｂに示すような反応情報要求信号がデータ管理サーバ１０に送信されることになる。
【０１５７】
データ管理サーバ１０のＣＰＵ２２は、インターネット８を介して反応情報要求信号を受信すると、当該信号にて指定された反応情報を通信情報データベース８０から抽出し、抽出した反応情報を、インターネット８を介して、講師端末４宛に送信する（ステップＳ８２）。
【０１５８】
講師端末４のＣＰＵ４２は、データ管理サーバ１０から送られてきた反応情報情報を受信して、これに対応する情報を、講師端末４の表示画面１００に表示する（ステップＳ７６）。
【０１５９】
ステップＳ７６において取得した反応情報に対応する情報として、たとえば、図１９に示す反応情報推移グラフ１２４、および、反応記録推移情報１２５がある。
【０１６０】
反応情報推移グラフ１２４は、対象ユーザーＩＤにより特定される受講生からの反応情報の推移を時系列でグラフ表示したものである。この実施形態においては、反応情報を反応内容別にグラフ表示している。すなわち、対象となる受講生からの反応情報の件数を、反応内容ごとに、上記サンプリング周期ごとに集計し、各集計値の推移をグラフ表示している。
【０１６１】
図１９の例における通信情報再生領域１２１の反応情報推移グラフ１２４は、講義開始からサンプリング周期（１分）ごとの、全受講生についての、各反応内容（たとえば、「なるほど」、「？？？」、「なるほど」または「？？？」の３種の理解度情報）の集計値の推移を示す、３つの折れ線グラフとして表示されている。この例では、反応情報推移グラフ１２４は、評価対象情報再生領域１２１ａに、評価対象情報と重ねて表示されている。もちろん、反応情報推移グラフ１２４の表示位置は、これに限定されるものではない。
【０１６２】
つぎに、反応記録推移情報１２５は、対象ユーザーＩＤにより特定される受講生からの一定時間内（１つのサンプリング周期内）の反応情報を時系列で（この場合は上下方向に並べて）一覧表示したものである。サンプリング周期ごとに生成された複数の反応記録推移情報１２５を、さらに、時系列で表示することで、反応記録再生領域１２１ｂを構成している。なお、この実施形態においては、反応記録推移情報１２５を表示する際、反応情報の内容と、発信者である受講者とを対応付けて表示するようにしている。
【０１６３】
図１９の例における通信情報再生領域１２１の反応記録再生領域１２１ｂには、講義開始からサンプリング周期（１分）ごとの、全受講生を対象とした反応記録推移情報１２５が、時系列で（この場合は、左から右へと並べて）表示されている。
【０１６４】
図１９に示すように、通信情報再生領域１２１には、サンプリング周期ごとに、評価対象情報である画像情報１２３と、当該評価対象に対する反応を示す反応情報推移グラフ１２４および反応記録推移情報１２５を（この場合は、上下に）隣接して表示するようにしているから、あとで講義を時系列で分析することが可能となる。
【０１６５】
なお、図１９に示すように、通信情報再生領域１２１の評価対象情報再生領域１２１ａと反応記録再生領域１２１ｂとの間には、評価対象情報および反応情報が受信された時刻（この実施形態においては、講義開始からの経過時間に相当）を表示する受信時刻表示領域１２１ｃが設けられている。
【０１６６】
図１９に示す通信情報再生領域１２２は、特定の受講生を対象とする点で、全受講生を対象とする通信情報再生領域１２１と異なる。通信情報再生領域１２２の評価対象情報再生領域１２２ａ、反応記録再生領域１２２ｂおよび受信時刻表示領域１２２ｃは、通信情報再生領域１２１の評価対象情報再生領域１２１ａ、反応記録再生領域１２１ｂおよび受信時刻表示領域１２１ｃに、それぞれ対応する。
【０１６７】
このように、１つの表示画面１００に、全受講生を対象とした通信情報再生領域１２１と特定の受講生を対象とする通信情報再生領域１２２とを、並べて表示すれば、両者の相違を容易に把握することが可能となり、好都合である。もちろん、１つの表示画面１００に、複数の受講生を対象とする複数の通信情報再生領域を並べて表示することもできる。
【０１６８】
図１２のステップＳ７１〜ステップＳ７６が、図２の通信情報再生手段１４に対応する。
【０１６９】
この実施形態においては、講師端末４において通信情報再生処理を行う場合を例に説明したが、受講生端末６において通信情報再生処理を行うこともできる。受講生端末６における通信情報再生処理は、データ管理サーバ１０から取得した通信情報に対応する情報の表示場所が受講生端末６の表示画面１１０である点を除き、上述のステップＳ７１〜ステップＳ７６に示す処理と同様の処理であり、これに対応するデータ管理サーバ１０の処理も、上述のステップＳ８１およびステップＳ８２と同様の処理となる。また、受講生端末６の表示画面１１０も、通信情報に対応する情報の表示については、図１９に示す講師端末４の表示画面１００と同様の構成となる。
【０１７０】
なお、受講生端末６において通信情報再生処理を行う場合、特定の受講生を対象とする通信情報再生処理については、自己のみを対象とするよう限定してもよい。
【０１７１】
図１２のステップＳ７１〜ステップＳ７６に示す処理と同様の、受講生端末６における通信情報再生処理が、図３の通信情報再生手段３４に対応する。
【０１７２】
なお、上述の実施形態においては、提供者側端末装置が講師端末であり、ユーザー側端末装置が受講生端末である場合、すなわち、情報通信網を介して行う遠隔授業に、この発明を適用した場合を例に説明したが、この発明はこれに限定されるものではない。たとえば、情報通信網を介して行う講演はもとより、プレゼンテーション、会議、オークションなど、情報通信網を介して評価対象情報が提供されるとともに、これに対する反応を特別な設備を用いることなく的確に把握することが求められるシステムに適用することができる。
【０１７３】
また、上述の実施形態においては、ユーザー側端末装置としてパーソナルコンピュータを例に説明したが、ユーザー側端末装置はパーソナルコンピュータに限定されるものではない。ユーザー側端末装置として、たとえば、携帯電話、携帯情報端末等も使用できる。
【０１７４】
また、上述のブロック図、ハードウェア構成、フローチャート、データ構造、各種データの具体例等は例として挙げたものであり、本願発明は、上述のブロック図、ハードウェア構成、フローチャート、データ構造、各種データの具体例等に限定されるものではない。
【０１７５】
また、データベースの数や種類も特に限定されるものではなく、上述のデータベースを分割して、複数のデータベースとすることもできる。
【０１７６】
また、上述の実施形態においては、提供者側端末装置と通信情報記憶装置とを情報通信網を介して接続する場合を例に説明したが、この発明はこれに限定されるものではない。たとえば、提供者側端末装置と通信情報記憶装置とを直接接続したり、両装置を兼用する装置を用いたりしてもよい。また、通信情報記憶装置として、複数のコンピュータを分散配置することもできる。分散配置する場合は、情報通信網を介して相互に接続することもできる。
【０１７７】
また、上述の実施形態においては、提供者側端末装置が１つの場合を例に説明したが、提供者側端末装置を複数用いることもできる。この場合、情報通信網を介して、提供者側端末装置相互を通信可能としたり、複数のユーザー側端末装置と複数の提供者側端末装置とを相互に通信可能としたりすることもできる。
【０１７８】
また、通信情報記憶装置として、複数のコンピュータを分散配置することもできる。分散配置する場合は、情報通信網を介して相互に接続することもできる。
【０１７９】
また、上述の実施形態においては、情報通信網としてインターネットを例に説明したが、情報通信網はインターネットに限定されるものではない。たとえば、ＬＡＮ（ローカルエリアネットワーク）やＷＡＮ（ワイドエリアネットワーク）、イントラネット等を介して複数のコンピュータを接続するようなネットワークにおいて本発明を実現するようにしてもよい。
【０１８０】
なお、この実施形態においては、提供者側端末装置側のプログラムは、提供者側端末装置のハードディスクにインストールされたものを実行するようにしている。ただし、提供者側端末装置側のプログラムの保持形態はこれに限定されるものではない。たとえば、提供者側端末装置側のプログラムを、ＣＤ−ＲＯＭ、フレキシブルディスク、磁気テープ等に記録するようにしてもよい。
【０１８１】
さらに、有線や無線の情報通信網を介して提供者側端末装置側のプログラムを配信するようにしてもよい。また、提供者側端末装置側のプログラムをプログラム配布サーバ（図示せず）にインストールしておき、たとえばインターネットなどの情報通信網を介してローカルのコンピュータに提供者側端末装置側のプログラムを実行させるようにしてもよい。
【０１８２】
また、上述の実施形態においては、ユーザー側端末装置側のプログラムを、その実行に先立ち、その都度、プログラム配布サーバから情報通信網を介してユーザー側端末装置の主メモリにロードさせ、プログラムが終了すると消滅させるようにしたが、ユーザー側端末装置側のプログラムの配布形態は、これに限定されるものではない。
【０１８３】
たとえば、ユーザー側端末装置側のプログラムを、最初にプログラム配布サーバから情報通信網を介してユーザー側端末装置の外部記憶装置たとえばハードディスクにダウンロードさせ、外部記憶装置から主メモリにロードして実行させるようにしてもよい。このようにすれば、次回からは、プログラム配布サーバに接続することなく、プログラムを実行することができる。
【０１８４】
また、ユーザー側端末装置側のプログラムを、たとえば、ＣＤ−ＲＯＭ、フレキシブルディスク、磁気テープ等のような記録媒体で配布するようにしてもよい。
【０１８５】
また、プログラムやデータの記録態様や配布態様は特に限定されるものではない。直接実行できる形で記録媒体に記録したり配布したりする他、たとえば、解凍して使用するように圧縮された形で記録媒体に記録したり配布したりすることもできる。
【０１８６】
なお、上述の実施形態においては、コンピュータを用いて図２ないし図３の各機能を実現する場合を例に説明したが、図２ないし図３の機能の一部をハードウェアロジックを用いて構成するようにしてもよい。
【０１８７】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。
【符号の説明】
【０１８８】
４：提供者側端末装置
６：ユーザー側端末装置
８：情報通信網
１２：提供者側表示装置
１３：反応情報表示手段
１６：評価対象情報発信手段
３１：ユーザー側入力操作装置
３２：ユーザー側表示装置
特許出願人  株式会社アップ
出願人代理人  弁理士  田川  幸一
【図１】
2010186195.tif 000003
【図２】
2010186195.tif 000004
【図３】
2010186195.tif 000005
【図４】
2010186195.tif 000006
【図５】
2010186195.tif 000007
【図６】
2010186195.tif 000008
【図７】
2010186195.tif 000009
【図８】
2010186195.tif 000010
【図９】
2010186195.tif 000011
【図１０】
2010186195.tif 000012
【図１１】
2010186195.tif 000013
【図１２】
2010186195.tif 000014
【図１３】
2010186195.tif 000015
【図１４】
2010186195.tif 000016
【図１５】
2010186195.tif 000017
【図１６】
2010186195.tif 000018
【図１７】
2010186195.tif 000019
【図１８】
2010186195.tif 000020
【図１９】
2010186195.tif 000021